(57)【特許請求の範囲】
【請求項１】
表示部をスタンドに画面の縦横切替え可能に取り付ける薄形表示装置における画面縦横切替え機構であって、
表示部とスタンドとの間に配したリンクの上端をスタンドに回転可能にかつその回転角を維持可能に支持するとともに、前記リンクの下端を、表示部の、画面中心から画面縦長状態での下方に偏心した位置に、回転可能にかつその回転角を維持可能に支持したことを特徴とする薄形表示装置の画面縦横切替え機構。
【発明の詳細な説明】
【０００１】
【発明の属する技術分野】
この発明は、液晶モニタなどの薄形表示装置において、画面の縦横を切り替えるための薄形表示装置の画面縦横切替え機構に関する。
【０００２】
【従来の技術】
液晶モニタなどの薄形表示装置において、画面を横長に用いたり縦長に用いたりできるものがあるが、この種の従来の薄形表示装置では、図６に示すように、表示部１の中心Ｏの部分をスタンド２に、中心Ｏ回りに回転可能に取り付ける構造を採用している。すなわち、表示部１１の中心部を支持してこれを回転させる回転機構を設けている。
そして、横長状態で画面の下方に必要以上のスペースが生じないようにする場合は、表示部１を回転機構とともに上下にスライドさせる上下動機構（図示略）を別に設けている。
すなわち、図６において、（イ）は表示部１の画面が縦長状態であり、この縦長状態の表示部１を矢印のように９０°回転させると、（ロ）のように表示部１は横長状態となる。このままでは、表示部１の下方のスペースが縦長状態と比べてhだけ大きくなるので、上下動機構により表示部１を（ハ）のように下方にスライドさせる。
【０００３】
【発明が解決しようとする課題】
上記のように、従来の画面縦横切替え機構は、表示部１の中心部Ｏを回転可能に支持する回転機構と、表示部を上下にスライドさせる上下動機構とを別に設けた構造なので、構造が複雑であり、コストも高くなるという問題がある。
【０００４】
本発明は上記事情に鑑みてなされたもので、表示部を回転させる動作と上下に移動させる動作とを組み合わせた動作を行う機構とすることにより、表示部の回転機構と上下動機構とを別個に持たない、簡単な構造の画面縦横切替え機構を提供することを目的とする。
【０００５】
【課題を解決するための手段】
上記課題を解決する本発明は、表示部をスタンドに画面の縦横切替え可能に取り付ける薄形表示装置における画面縦横切替え機構であって、
表示部とスタンドとの間に配したリンクの上端をスタンドに回転可能にかつその回転角を維持可能に支持するとともに、前記リンクの下端を、表示部の、画面中心から画面縦長状態での下方に偏心した位置に、回転可能にかつその回転角を維持可能に支持したことを特徴とする。
【０００６】
【発明の実施の形態】
以下、本発明の実施の形態を図１〜図５に示した一実施例の薄形表示装置の画面縦横切替え機構を参照して説明する。
図１は本発明の一実施例の画面縦横切替え機構１３を備えた液晶モニタ等の薄形表示装置１０の正面図、図２は図１の右側面図、図３は図１の平面図である。これらの図において、１１は薄形表示装置の表示部、１２はスタンドである。表示部１１は、図示のように、長さｃの１本のリンク１４を介してスタンド１２に取り付けられている。
【０００７】
前記リンク１４の上端は、スタンド１２の幅方向中央の上部に回転可能に、かつその回転角を維持可能に取り付けられ（その回転軸部分をＡで示す）され、下端は表示部１１の画面中心Ｏから縦長状態での下方（図１の横長状態では左方）へ適宜の距離ｂだけ偏心した位置に回転可能にかつその回転角を維持可能に取り付けられている（その回転軸部分をＢで示す）。
また、この実施例では、表示部１１の裏面の例えば画面中心位置にピン１７を固定し、リンク１４側に前記ピン１７が係合可能できる切り欠き１８を設けている。なお、前記リンク１３のスタンド１２側の連結軸部Ａの、表示部１１の画面面中心Ｏからの距離をａとする。
前記リンク１４の上端側の回転軸部Ａおよび下端側の回転軸部Ｂは、いずれも、例えば図５に示すように、それぞれの回転軸２０、２１にそれぞれ皿ばね２２、２３を圧接状態で装着して、皿ばね２１の摩擦力によりリンク１４の回転角を維持する構成としている。この場合、リンク１４の上端の回転軸部Ａの摩擦力を下端の回転軸部Ｂの摩擦力より明確に強く設定する。すなわち、バネ力の大小異なる２つの皿ばねを用いるなどして、両回転軸部Ａ、Ｂにおける摩擦力を異ならせ、これにより、表示部１１をリンク１４に対して回転させても、リンク１４はスタンド１２との間の摩擦力で回転せず、それ以上の大きなトルクが作用した時に、リンク１４がスタンド１２に対して回転するように設定している。なお、図５に示した構造は、２つの回転軸部Ａ、Ｂにおける回転トルクに差をつける手段を模式的に説明するために単純化したものである。
【０００８】
上記の薄形表示装置１０における画面の縦横の切替え動作を説明する。図５は表示部１１の画面が横長状態にあり、リンク１３の表示部１１側の回転軸部Ｂは、画面中心Ｏの左方にある。リンク１３のスタンド１２側の回転軸部Ａおよび表示部１１側の回転軸部Ｂは、いずれも皿ばね２２、２３による摩擦力で回転を拘束されており、その拘束力で表示部１１が横長状態に保持されている。
【０００９】
この状態で、表示部１１を、リンク１３の下端部の回転軸部Ｂを中心として矢印のように反時計回り方向にαだけ回転させる。この場合、前記の通り、リンク１３はスタンド１２側との間の摩擦力（回転軸部Ｂでの摩擦力より大きい）で拘束されて、回転しない。したがって、表示部１１の裏面のピン１７がリンク１３の切り欠き１８に係合する。この時、図５（ロ）のように、表示部１１の縦長状態での幅方向中心線ｎがリンク１３の中心線と一致する。
【００１０】
図５（ロ）の状態から、こんどはリンク１４の上端部の回転軸部Ａを中心として、表示部１１を、さらにβ（α＋β＝９０°）だけ回転させる。この回転の際には、表示部１１のピン１７がリンク１４と係合しているので、表示部１１とピン１７とは一体に回転する。これにより、図５（ハ）のように、表示部１１の画面が縦長状態となる。
【００１１】
ここで、表示部１１の画面中心Ｏの縦長状態での高さ位置と横長状態での高さ位置との差ｓは、幾何学的関係から明らかな通り、ｓ＝ｂ−（ｃ−ａ）＝ａ＋ｂ−ｃ（ただし、ｃはリンク１４の長さ）となる。ここで必ず、ａ＋ｂ＞ｃが成りたつので、必ずｓ＞０である。すなわち、（ハ）の縦長状態では表示部１１の画面中心位置が距離ｓだけ上昇する。逆に、（ハ）の縦長状態から（イ）の横長状態に切り替える時は、表示部１１の画面中心Ｏが高さｓだけ下降する。したがって、横長状態において、表示部１１の下方に必要以上のスペースが生じない。
【００１２】
なお、リンク１４の回転軸部Ａ、Ｂの回転角を維持する手段としては、上記の実施例に限らず、種々考えられる。
【００１３】
【発明の効果】
本発明の画面縦横切替え機構によれば、表示部を回転させる回転動作と表示部を上下に移動させる上下移動の動作とを組み合わせた１つの動作で、画面の縦横の切替えを行う構造であり、これを１つのリンクを用いた簡単な機構により行うものであるから、従来のように回転機構と上下動機構とを別に設ける構造と比べて、構造が大幅に簡略化され、かつ部品点数も大幅にされるという効果が得られた。
【図面の簡単な説明】
【図１】本発明の一実施例の画面縦横切替え機構を備えた薄形表示装置の正面図である。
【図２】図１の右側面図である。
【図３】図１の平面図である。
【図４】上記の画面縦横切替え機構におけるリンクの回転軸部分の詳細を説明する図である。
【図５】上記の薄形表示装置における画面の縦横切替えの動作の説明図であり、（イ）の縦長状態から（ロ）の途中状態を経て（ハ）の縦長状態にする場合のものである。
【図６】従来の画面縦横切替え機構を備えた薄形表示装置の正面図であり、（イ）の縦長状態から（ロ）の途中状態を経て（ハ）の縦長状態にする場合のものである。
【符号の説明】
１０  薄形表示装置
１１  表示部
１２  スタンド
１３  画面縦横切替え機構
１４  リンク
２１、２３  皿ばね
【図１】
0003973758.tif 000002
【図２】
0003973758.tif 000003
【図３】
0003973758.tif 000004
【図４】
0003973758.tif 000005
【図５】
0003973758.tif 000006
【図６】
0003973758.tif 000007